(57)【要約】【課題】番組に関連する情報を効率良く入力する。【解決手段】ＥＰＧ情報取得部１と、画面表示部３と、入力部５と、ユーザー入力処理部７と、ワード管理データベース（ＤＢ）１１と、ワード切り分け部１５であって、自動ワード切り分け部１５ａと手動ワード切り分け部１５ｂとを有している。ワード切り分け部１５は、情報をワードに分割する機能を有しており、自動ワード切り分け部１５ａは、ＥＰＧ情報をワードに分割し、手動ワード切り分け部１５ｂは、入力部５の操作によってＥＰＧ情報をワードに分割する。ワード管理ＤＢ１１は、上記ワード切り分け部１５によって切り出されたワードを管理し、番組名、キーワード、出演者毎の抽出・ソート機能を有し、番組情報を番組名と出演者とキーワードとにより切り分け、これらを関連付けて記憶する。【選択図】  図１
2004297202.tif 000002
【特許請求の範囲】
【請求項１】
表示部と、
入力部と、
電子番組ガイドによる番組情報を取得するＥＰＧ情報取得部と、該ＥＰＧ情報取得部が取得した前記番組情報をワード毎に自動的に分割する自動ワード切り分け部と、該自動ワード切り分け部によって分割されたワードを前記表示部に表示させるユーザー入力処理部と、を有する文字入力装置と
を備えた電子機器。
【請求項２】
前記文字入力装置は、さらに、前記自動ワード切り分け部により切り出されたワードを管理するワード管理データベースを有することを特徴とする請求項１に記載の電子機器。
【請求項３】
前記文字入力装置は、さらに、前記入力部からの入力指示に基づいて前記番組情報をワード毎に分割する手動ワード切り分け部を有することを特徴とする請求項１又は２に記載の電子機器。
【請求項４】
前記ユーザー入力処理部は、前記入力部により選択されたワードを入力候補として表示させることを特徴とする請求項１から３までのいずれか１項に記載の電子機器。
【請求項５】
前記ユーザー入力処理部は、最近入力したワードを入力候補として表示させることを特徴とする請求項１から４までのいずれか１項に記載の電子機器。
【請求項６】
前記ワード管理データベースは、前記番組情報を番組名と出演者とキーワードとにより切り分け、これらを関連付けて記憶していることを特徴とする請求項１から５までのいずれか１項に記載の電子機器。
【請求項７】
前記ユーザー入力処理部は、前記ワード管理データベースに記憶されている前記番組情報を番組名と出演者とキーワードと、これらの関連付けとに基づいて、入力文字候補を動的に絞り込む機能を有していることを特徴とする請求項６に記載の電子機器。
【請求項８】
前記番組情報は、取得日時情報を属性として備えることを特徴とする請求項１から７までのいずれか１項に記載の電子機器。
【請求項９】
電子番組ガイドによる番組情報を取得するＥＰＧ情報取得部と、
該ＥＰＧ情報取得部が取得した前記番組情報をワード毎に自動的に分割する自動ワード切り分け部と、
該自動ワード切り分け部によって分割されたワードを表示させるユーザー入力処理部と、を有する文字入力装置。
【請求項１０】
電子番組ガイドによる番組情報を取得する手順と、
取得した前記番組情報をワード毎に自動的に分割する手順と、
分割されたワードを文字入力候補として表示することにより、入力する文字の選択を促す手順と
をコンピュータに実行させるプログラム。
【発明の詳細な説明】
【０００１】
【発明の属する技術分野】
本発明は、電子番組ガイド（Ｅｌｅｃｔｒｉｃ  Ｐｒｏｇｒａｍ  Ｇｕｉｄｅ、以下「ＥＰＧ」と称する。）情報を用いた文字入力装置に関し、特に端末の入力補助に用いられる文字入力装置に関する。
【０００２】
【従来の技術】
番組数やチャネル数の増大とデジタル情報技術の発展とに伴い、最近では、テレビジョンの番組表としてＥＰＧが盛んに利用されるようになってきている。ＥＰＧを用いると、番組に関する電子的なデータを視聴者が簡単に入手し番組の選択をすることができる。尚、番組に関する電子データとは、番組のタイトル、放送チャネル、放送開始・終了時間、出演者、番組のあらすじ、番組を特徴付けるキーワードなどを含む。
【０００３】
例えば、音声認識機能を用いてＥＰＧの操作を行う装置において、新たに受信したＥＰＧデータを項目毎に分類した後、読み取得部が漢字かな変換部を参照して読みを取得する。辞書更新部が言葉と読みとを対にして辞書に登録する装置が提案されている（例えば、特許文献１参照）。
【０００４】
上記装置においては、ＥＰＧから取得したデータとこのデータの読みとを記録した辞書と、操作者の発話する言葉と、が対応付けられており、辞書に記録されたデータの中からあるＥＰＧデータを音声により特定し選択することができる。
【０００５】
【特許文献１】
特開２００１―２２３７４号公報
【０００６】
【発明が解決しようとする課題】
ＥＰＧ内のデータには辞書に登録されていない新しい言葉や固有名詞などが多く含まれるため、上記装置においては、まず、言葉と読みとを対にした辞書を作成しておく必要がある。従って、ユーザーが入力した音声に基づいて、これを直ちに言葉に変換することが難しい。
【０００７】
また上記装置においては、音声入力機構を備えることが前提となっているため機構が複雑になり、簡単な構成にすることにより軽量化を図ることが好ましい装置、例えば携帯端末などに用いるには難点があった。
本発明は、ＥＰＧに含まれるテキストデータを簡単に入力するための文字入力装置を提供することを目的とする。
【０００８】
【課題を解決するための手段】
本発明の一観点によれば、表示部と、入力部と、電子番組ガイドによる番組情報を取得するＥＰＧ情報取得部と、該ＥＰＧ情報取得部が取得した前記番組情報をワード毎に自動的に分割する自動ワード切り分け部と、該自動ワード切り分け部によって分割されたワードを前記表示部に表示させるユーザー入力処理部と、を有する文字入力装置とを備えた電子機器が提供される。
【０００９】
上記電子機器によれば、ＥＰＧ情報取得部が取得した番組情報をワード毎に自動的に分割する自動ワード切り分け部により、分割されたワードを入力簿時候補として表示部に表示させることができるため、簡単な操作により番組に関連する文字を入力することができる。
また、切り分けをユーザーが手動で行うための手動ワード切り分け部を設けることにより、ユーザーの明示的な指示による切り分けることも可能である。
【００１０】
前記ワード管理データベースは、前記番組情報を番組名と出演者とキーワードとにより切り分け、これらを関連付けて記憶しているのが好ましい。また、前記ユーザー入力処理部は、前記ワード管理データベースに記憶されている前記番組情報を番組名と出演者とキーワードと、これらの関連付けとに基づいて、入力文字候補を動的に絞り込む機能を有しているのが好ましい。これにより、入力したい文字を効率的に検索することができる。
【００１１】
本発明の他の観点によれば、電子番組ガイドによる番組情報を取得する手順と、取得した前記番組情報をワード毎に自動的に分割する手順と、分割されたワードを文字入力候補として表示することにより、入力する文字の選択を促す手順とをコンピュータに実行させるプログラムが提供される。上記分割する手順において、手動で分割する手順を含めても良い。
【００１２】
【発明の実施の形態】
本発明に係る文字入力装置は、携帯端末など文字入力が難しい装置の入力補助としてＥＰＧにより取得したデータを利用する装置である。以下、本発明の一実施の形態によるＥＰＧを利用した文字入力装置について、図面を参照しつつ説明を行う。
【００１３】
図１は、本実施の形態によるＥＰＧを利用した文字入力装置（以下、「文字入力装置」と称する。）の構成例を示す機能ブロック図である。図１に示すように、本実施の形態による文字入力装置Ａは、ＥＰＧ情報取得部１と、画面表示部３と、入力部５と、ユーザー入力処理部７と、ワード管理データベース（ＤＢ）１１と、ワード切り分け部１５であって、自動ワード切り分け部１５ａと手動ワード切り分け部１５ｂとからなるワード切り分け部１５と、を有している。ＥＰＧ情報取得部１は、放送、インターネットなどを介して番組情報を取得する。画面表示部３は、ユーザーインターフェイスを表示する例えば液晶表示装置であり、ＥＰＧ以外に様々な放送やコンテンツなどを表示させることもできる。
【００１４】
入力部５は、キーボート又は携帯端末の入力ボタン又はリモートコントロール装置の入力ボタンなどが該当し、文字などを入力する。ユーザー入力処理部７は、例えば入力部５からの入力に従って、文字入力装置Ａを制御する処理を行う。ワード切り分け部１５は、情報をワードに分割する機能を有しており、自動ワード切り分け部１５ａは、ＥＰＧ情報をワードに分割し、手動ワード切り分け部１５ｂは、入力部５の操作によってＥＰＧ情報をワードに分割する。ワード管理ＤＢ１１は、上記ワード切り分け部１５によって切り出されたワードを管理し、番組名、キーワード、出演者毎の抽出・ソート機能を有する。すなわち、ワード管理ＤＢ１１は、番組情報を番組名と出演者とキーワードとにより切り分け、これらを関連付けて記憶する。番組情報は、取得日時情報を属性として備えることにより、ワード管理ＤＢ１１内での整理が簡単になり、過去の番組の検索や保存期間の規定にも役立つ。
【００１５】
図２は、ワード管理ＤＢ１１において管理されているデータの構成例を示す図である。図２に示すように、例えば、レコード１は、フィールド１からフィールド５までの複数のフィールドに分割されており、フィールド（１）２１―１は放送日時を、フィールド（２）２１―２は放送局を、フィールド（３）２１―３は番組タイトルを、フィールド（４）２１―４は出演者リストを、フィールド（５）２１―５は番組内容紹介文を記録している。すなわち、この例では、ＥＰＧ情報取得部１によって取得された番組情報は、放送局、放送日時、番組タイトル、出演者リスト、番組内容紹介文に分けられてＤＢにおいて管理されている。尚、番組内容紹介文の中に出演者データが含まれている場合は、「出演者」等のキーワードを探し、それ以下の文をワード毎に区切ったものを出演者名として取り扱う。
【００１６】
例えば、番組紹介文が、「京都で事件が起きる。監督：○○××、出演：□□、○○」であった場合には、出演者リストには□□、○○、番組紹介文には「京都で事件が起きる。監督：○○××、出演：□□、○○」というデータが格納される。
【００１７】
次に、本実施の形態による文字入力装置による番組データの収集処理の流れについて図３を参照して説明する。まず、ステップＳ１において、ＥＰＧを利用して番組情報データを取得する。次に、ステップＳ２において、番組情報データの中から１番組分のデータを抽出する。次に、ステップＳ３において、抽出した番組データがワード管理ＤＢ１１内に既に登録されていないか否かを調べる。登録済みであるならば、ステップＳ２に戻り次のデータを処理する。登録済みでなければ、ステップＳ４に進み、番組データから、放送日時、放送局、番組タイトル、出演者リスト、番組内容紹介文を抽出し１レコードを作成する。次に、ステップＳ５に進み、レコードをワード管理ＤＢ１１内に登録する。
【００１８】
次に、ステップＳ２に戻り、番組情報データの中から次の１番組分のデータを抽出する。上記の処理を継続し、全データの抽出が完了するとステップＳ６に進み処理が完了する。以上の処理によりＥＰＧ番組データが収集され、ワード管理ＤＢ１１内にＥＰＧ番組情報データに関連するデータが図２に示すレコード構成で格納される。
【００１９】
次に、本実施の形態による文字入力装置におけるユーザーインターフェイスについて図４、図５及び図１０を参照しつつ説明を行う。図４は、ユーザーインターフェイスのメニュー間遷移図、図５は、本実施の形態によるユーザー処理の流れを示すフローチャート図、図１０は本実施の形態におけるサブメニュー項目例の一覧である。
【００２０】
図４に示すように、メニューは番組画面３０、キーワードリスト３５、出演者リスト３７、手動切り分け画面３６の４つのモードを持っており、番組画面３０は更に現在の番組リスト３２、番組リスト３３、前後の番組リスト３４の３つの内部状態を持つ。各々の状態で表示されるワードリストの一項目を選択し、ある処理、例えば処理に関する決定ボタンを押すことによりワードが入力される。また上記決定ボタン以外のボタン（例えばメニューボタン）を押すと、そのモードに応じてサブメニューが提示される。このとき提示されるサブメニュー項目の例を図１０に示す。図１０に示される項目は、提示されうる全ての項目を記しているが、各々のモードにおいてこれらの全てが提示されるわけではなく、それぞれのモードに関連する項目のみを提示するようにするのが好ましい。
決定ボタン、メニューボタン等のユーザー入力は、図５に示すように、ステップＳ１１において、ユーザー入力処理部７によって処理される。
【００２１】
スタート時は、まず現在の番組リスト３２が提示される（スタートから▲１▼）。スタートキーが押されるとステップＳ１２に進み、ステップＳ１２では、現在時刻をキーにしてワード管理ＤＢ１１内を検索（照会）し、現在放送中の番組のリストを生成しユーザーに提示する。
【００２２】
現在の番組リスト３２、もしくは、番組リスト３３にて表示中のリストの一番組を選択した状態でサブメニューを開き、前後の番組６１を選択すると（現在の番組リスト３２から▲２▼又は番組リスト３３から▲３▼））、ステップＳ１３に進み、選択されている番組の放送局でワード管理ＤＢ１１内を照会（検索）し、選択されている番組の前後の数番組３４の番組名のリストを生成しユーザーに提示する（前後の番組リスト３４）。
【００２３】
番組画面３０においてサブメニューを開き、キーワード６３を選択すると（▲４▼）、ステップＳ１５に進み、選択番組の放送局でワード管理ＤＢ１１内を照会（検索）し、そのレコードに含まれる内容から名詞を切り出し、キーワードリストを提示する（キーワードリスト３５）
【００２４】
同様に、番組画面３０においてサブメニューを開き出演者６２を選択すると（▲５▼）、ステップＳ１７に進み、選択番組の放送局でワード管理ＤＢ１１内を検索し、そのレコードのフィールド（４）２１−４から出演者リストを取り出し、それをユーザーに提示する（出演者リスト３７）。キーワードリスト３５あるいは出演者リスト３７を提示中にサブメニューを開き、番組６５を選択すると（▲６▼または▲７▼）、ステップＳ１４に進み、選択されていたキーワードや出演者をキーにワード管理ＤＢ１１を照会（検索）し、抽出されたデータの番組名のリストを生成してユーザーに提示する（番組リスト３３）。
【００２５】
番組画面３０においてサブメニューを開き、手動切り分け６４を選択すると（▲８▼）、ステップＳ１６に進み、選択されていた番組名をキーにしてワード管理ＤＢ１１を照会し、そのレコードに含まれる番組内容紹介文をユーザーに提示し、ユーザーに対して入力ワードの始点と終点との入力を促す（手動切り分け画面３６）
【００２６】
次に、図６から図９までを参照して、本実施の形態による文字入力装置を使用した携帯端末の使用手順について説明する。図６は、入力モードメニューを示す図である。図７は、文字入力装置を用いた携帯端末の表示画面を操作手順に沿って示す図であり、図８は図７に続く手順を示す図である。図９は、番組と出演者とキーワードの関連を示す模式的な図である。
【００２７】
図６に示すように、文字入力メニュー３８には、例えば、漢字入力モード３８ａと、ひらがな入力モード３８ｂと、カタカナ入力モード３８ｃと、ＴＶ（ＥＰＧ）入力モード３８ｎと、が設けられている。漢字入力モードは、入力したデータを漢字に変換することができるモードである。ひらがな入力モード３８ｂとカタカナ入力モード３８ｃとを用いると、入力したデータが直接ひらがな又はカタカナとして入力される。ＴＶ（ＥＰＧ）モードが、本実施の形態による文字入力装置に特有のメニューであり、ＥＰＧ情報を利用して文字入力するためのメニューである。
【００２８】
図９に示すように、番組５５ｃにおいて、現在の番組とその前後の番組との間は、時間軸に沿って移動することができる。番組５５ｃと出演者５５ａとの間は、番組から出演者を検索することも可能であり、逆に出演者から番組を検索することも可能である（Ｒ１１）。番組５５ｃとキーワード５５ｂとの間も双方向で検索することが可能である（Ｒ１２）。キーワード５５ｂと出演者５５ａとの間では、キーワードから出演者の検索が可能だが、この場合、必ずしも選択したキーワードを含む出演者が存在するとは限らない。選択したキーワードに対する出演者リストが空の場合は、出演者リストの提示はされない。
【００２９】
図７に示すように、表示画面４１―１は、例えば電子メールの文章を入力している画面である。表示画面４１−１には、「ねえ。今やってる」という文字列４３が入力されている。符号４５に示す入力モード表示は、現在、図６に示した各種モードのうちの漢字入力モードであることを示している。ここで、「ねえ。今やってる」という文字列４３の後に、現在やっている番組に関連する文字を入力したいが、入力ボタンによる入力が難しい又は面倒である又は漢字変換辞書に登録されていないと感じた場合や、入力すべき文字自体を忘れてしまった場合に、入力モードを補充入力メニューであるＴＶ（ＥＰＧ）モードに切り替える。
【００３０】
すると、先に説明したように表示画面４１−２に示すような現在の番組リストが表示され、ポップアップメニュー５１として、「１．番組１、２．番組２、３．番組３、４．○○××、５．△△○×」が表示される。このうち１から３までは、現在放送中の番組をユーザーの過去のチャネル選択履歴に基づき順序付けを行って表示したもので、４及び５は、最近このＴＶ（ＥＰＧ）モードを用いて入力した文字列を表示させたものである。
【００３１】
現在の番組の候補５１として表示された番組中に入力したい番組を表す文字列があれば、その文字列を選択し、決定アクションを行うことにより表示画面４１―１の「ねえ。今やってる」の後に、例えば「番組１」が入力される。現在の番組の候補５１中には入力したい文字列が無い場合であって上記番組「番組１」に関連する文字列を入力したい場合には、決定アクションとは異なるアクションを行うことにより、表示画面４１―４に表示されるように、「番組１」に関連するサブメニュー５５を開くことができる。
【００３２】
図８に示すように、サブメニュー５５には、「出演者５５ａ、キーワード５５ｂ、前後の番組５５ｃ、手動切り分け５５ｄ」などの選択肢が表示される。ここで、出演者５５ａを選択した場合に表示される画面が出演者リスト４１−５であり（Ｒ１）、キーワード５５ｂを選択した場合に表示される画面がキーワードリスト４１−６であり（Ｒ２）、前後の番組５５ｃを選択した場合に表示される画面が前後の番組リスト４１−７であり（Ｒ３）、手動切り分け５５ｄを選択した場合に表示される画面が手動切り分け画面４１−８である（Ｒ４）。
【００３３】
画面４１−５には、出演者リスト５５ａとして、「１．ＡＡＢＢ、２．ＣＣＤＤ、３．ＥＥＦＦ」が表示される。この中に入力したい文字列があれば、それを選択することにより、「ねえ。今やってる」の後に、例えば１を選択した場合には「ＡＡＢＢ」が入力される。画面４１−６には、キーワードリスト５５ｂとして、「１．ＭＮＯ、２．ＰＱＲ、３．ＳＴＵ」が表示される。この中に入力したい文字列があれば、それを選択することにより、「ねえ。今やってる」の後に、例えば２を選択すると「ＰＱＲ」が入力される。画面４１−７には前後の番組リスト５５ｃとして、「１．ＡＢＣＤ、２．ＥＦＧＨ、３．ＩＪＫＬ」が表示される。この中に入力したい文字列があれば、それを選択することにより、「ねえ。今やってる」の後に、例えば３を選択すると「ＩＪＫＬ」が入力される。画面４１―６には手動切り分け画面５５ｄとして、「壮大なスケールで送るスペースアドベンチャー、出演者○○××△△、終点を決めてください」という自動的には切り分けられていない文字列が表示される。この中に入力したい文字列があれば、それを選択することにより、「ねえ。今やってる」の後に、例えば出演者の「○○××△△」を選択すれば「○○××△△」が入力される。この場合は、ユーザー個人が文字列中から始点と終点とを指定することにより、所望の文字列を入力することができる。
【００３４】
尚、図９に示すように、現在の番組及び前後の番組リストと、出演者リストと、キーワードリストと、は互いに関連付けされているため、サブメニューを用いてそれぞれのリスト間を移動することによって、容易に目的とするワードに到達することが可能である。
【００３５】
以上、本実施の形態による文字入力装置によれば、最新の情報を多く含み、話題にも上がりやすいＴＶに関する情報を多く有するＥＰＧ情報に基づいて入力を行うことができる補助入力メニューを備えているため、造語や最新ワード、人名などにも簡単に対応でき、入力の比較的難しい携帯端末などにおいても簡単に最新情報を入力することができる。読みを入力するのではなく、ＥＰＧ情報に基づいて切り分けられた単語を選択するだけの作業で良いため、入力作業が簡単である。この際、番組名、キーワード、出演者によって動的に絞り込みを行うことにより、最小のステップで必要なワードを選択することができる。また、自動切り分けがうまくいかない場合には、手動切り分けを行うこともできるため、入力すべき文字を得やすいという利点がある。
【００３６】
以上、本実施の形態に沿って説明したが、本発明はこれらの例に限定されるものではなく、種々の変形が可能であるのは言うまでもない。例えば、本実施の形態においては、携帯端末に用いる補助的な文字入力機能について説明したが、特にこれらに限定されるものではなく、ＥＰＧ機能と文字入力機能とを有する他の機器を対象とすることも可能である。
【００３７】
【発明の効果】
本発明の電子番組ガイドを用いた文字入力装置によれば、ＥＰＧ情報に基づいて入力を行うことができる補助入力メニューを備えているため、簡単に最新情報を入力することができる。
【図面の簡単な説明】
【図１】本発明の一実施の形態による電子番組ガイドを用いた文字入力装置の構成例を示す機能ブロック図である。
【図２】本発明の一実施の形態による電子番組ガイドを用いた文字入力装置内に設けられているデータベース内に格納される各種レコードの構成例を示す図である。
【図３】本発明の一実施の形態による電子番組ガイドを用いた文字入力装置による番組データの収集処理の流れを示すフローチャート図である。
【図４】本発明の一実施の形態による電子番組ガイドを用いた文字入力装置におけるメニュー間の関係を示す遷移図である。
【図５】本発明の一実施の形態による電子番組ガイドを用いた文字入力装置によるユーザー操作の処理の流れを示すフローチャート図である。
【図６】本発明の一実施の形態による電子番組ガイドを用いた文字入力装置による入力モードメニューを示す図である。
【図７】本発明の一実施の形態による電子番組ガイドを用いた文字入力装置による入力処理の実際の流れを表示画面に基づいて示す図である。
【図８】本発明の一実施の形態による電子番組ガイドを用いた文字入力装置による入力処理の実際の流れを表示画面に基づいて示す図であり、図７に続く図である。
【図９】本発明の一実施の形態による電子番組ガイドを用いた文字入力装置におけるメニュー表示の関連を示す図である。
【図１０】本発明の一実施の形態による電子番組ガイドを用いた文字入力装置におけるサブメニュー項目の一覧の例である。
【符号の説明】
Ａ…文字入力装置、１…ＥＰＧ情報取得部、３…画面表示部、５…入力部、７…ユーザー入力処理部、１１…ワード管理ＤＢ、１５…ワード切り分け部、１５ａ…自動ワード切り分け部、１５ｂ…手動ワード切り分け部。
【図１】
2004297202.tif 000003
【図２】
2004297202.tif 000004
【図３】
2004297202.tif 000005
【図４】
2004297202.tif 000006
【図５】
2004297202.tif 000007
【図６】
2004297202.tif 000008
【図７】
2004297202.tif 000009
【図８】
2004297202.tif 000010
【図９】
2004297202.tif 000011
【図１０】
2004297202.tif 000012